(57)【要約】      （修正有）【課題】書類のめくりが斜め上方に出来るクリップを提供する。【解決手段】９０度に相対峙する２枚の側板７に載った天板２端部に断面がＬ字状の挟持片５が、Ｌ字角部外側でヒンジ６に接続し、進入してくる書類Ｐコーナー部を後開口９から突き出させ、挟持片５の長脚部３を押し下げ短脚部４で斜めに押圧して係止する。【選択図】図７
2015030267.tif 000002
【特許請求の範囲】
【請求項１】
天板と底板と、そして直角に向き合う２枚の側板からなる、平面から見て略直角２等辺三角形、又は直角２等辺台形の本体部と、天板端辺に断面がＬ字状の挟持片が、Ｌ字角部外側でヒンジ状に接続し、進入してくる書類コーナー部を斜めに押圧して係止することを特徴とするコーナークリップ。
【発明の詳細な説明】
【技術分野】
【０００１】
本発明は書類用クリップに関し、特に書類コーナー部を斜めに押圧することを特徴とする新規クリップに関する。
【背景技術】
【０００２】
例えば、十数枚のＡ４書類を一時的にクリップで留めておきたいという時、最も一般的な方法は、挟持力の強い所謂ダブルクリップというアーム付き板バネクリップが使用される。最近ではプラスチック製のクリップも使われるようにもなってきた。これらクリップは書類上部の左右どちらかのタテ端部又はヨコ端部を端辺に沿ってクリップする。クリップ留めした書類をめくるには、出来るだけ書類のコーナーを留めるのが最も書類をめくりやすい。それは、複数枚の書類をクリップではなく、ホチキスで留めることを考えてみれば分かる。即ち、複数枚のＡ４書類をホチキスで留めるには、左上コーナー部を斜めにホチキスで留めるのが、最もそのあと書類を見やすいことが分かる。しかし、従来技術のクリップでは、書類のコーナー部を斜めに留めることが出来ないため、タテ又はヨコのコーナーに近い端部を端辺に沿って留めることにより、少しでも書類コーナーを留めたときの効果に近づけようとしている。
【０００３】
しかし、基本的に、書類のタテ、又はヨコの辺に沿っての留め方では書類をめくったとき、めくった書類とめくられていない書類とのずれが発生し、併せもつには不具合が生ずる。この点を解消するためのコーナークリップが提案されている（特許文献１、２、３）。しかし特許文献１では、クリップコーナーが書類から飛び出し、かつアームも邪魔である。特許文献２では２つの板バネを連結するなど複雑な構造をしており、特許文献３では邪魔なアームを依然として必要とするなど、いずれも実用的ではない。尚、特許文献２には、書類のコーナーをクリップすることの利点はめくりやすいという説明とその状態図面（図１５）が掲載されている。このことは、書類をクリップではなく、ホチキス留めする際、書類左上コーナー部を斜めにホチキス留めすることと同じ感覚で、誰もが賛同理解していることである。
【０００４】
【特許文献１】特開平８−２５８６６
【特許文献２】特開２００１−１５０８５２
【特許文献３】特開２００６−６２３６８
【特許文献４】実登３００８１７０
【特許文献５】特開２００１−２８７４８７
【発明の開示】
【発明が解決しようとする課題】
【０００５】
本発明が解決しようとしている課題は、書類をクリップするのに最も理想的な場所である書類コーナー部を押さえる理想的なコーナークリップを提供することであり、かつ、従来のコーナークリップが持つ、書類からクリップがはみ出したり、邪魔なアームを必要としたり、複雑な構造であったりする欠点をなくし、挟持力が強く、取り扱いが簡単な新規コーナークリップを提供することにある。尚、本発明では、数枚の書類しか留められない単に挟み込むだけの簡単なクリップではなく、ダブルクリップに代表されるような多数枚の書類を一時的に留めておけるような、厚みのある、挟持力の強いコーナークリップを提供するこにある。
【課題を解決するための手段】
【０００６】
第一の課題解決手段は、天板と、底板と、そして直角に向き合う２枚の側板からなる、平面が略２等辺三角形、又は２等辺台形の本体部と、天板端辺に断面がＬ字状の挟持片が、Ｌ字角部外側でヒンジ状に接続し、進入してくる書類コーナー部を斜めに押圧して係止することを特徴とするコーナークリップとする。
【発明の効果】
【０００７】
本発明による効果は以下の通りである。即ち、書類を一時留めするには、書類をめくりやすい書類のコーナーを留めることが理想であり、これを簡単に、かつ強い挟持力で成すことが出来るコーナークリップを提供出来る。更に、本発明によれば、ダブルクリップのような邪魔なアームもなく、クリップの底面は完全平面であり、マグネット利用も可能である。また、用紙からはみ出すクリップ部は最小限に押さえられるというメリットもある。
また、実施例で示す通り、樹脂成形でも、板バネ打ち抜き曲げ加工、どちらでも目的のコーナークリップは生産可能であり、アームなどの部品を必要とせず、生産する立場からも優れた発明と言える。
【０００８】
更に本発明では、従来クリップの持つ大きな欠点を同時に解決出来る。即ち、多数枚の書類を留める強力板バネクリップとしては、指ではとても開けられないクリップの先端部を大きく開ける必要があり、ダブルクリップの如く、邪魔なアームを反対側に折り返してテコの原理で先端を開けたり、又は有名なガチャック（商品名）のように外部の道具を使って先端を開けるなどの特別な部品が必要であった。又樹脂クリップでは、特許文献４ではテコの原理で書類を押圧するため、回旋する挟持部が１枚目の書類を移動させる問題がある事を特許文献５で指摘し改善案を提案している。更に、従来の書類の一辺のみを挟持するクリップでは、板バネ式でも、樹脂式でも、クリップの書類先端が当たる壁板部と実際に書類を押圧する部分までの距離（腕距離）が長ければ書類の銜え代が大きくなる一方、押さえる力は弱くなり、銜え代を短くすれば強く押さえられるが、書類を押さえている押さえ代（銜え代）が少なくなる相反する問題特性を基本的に抱えている。  
【０００９】
しかし、本発明では多数枚書類を留めるに足る厚さを有した壁板は、従来クリップの１枚では無く、書類コーナーのタテ及びヨコを同時にハの字状に９０度直角に相対峙した２枚の壁板（本発明では側板と呼ぶ）で構成されており、まず書類のタテ、ヨコへの揃え修正能力と、ヒンジで回旋する挟持片による書類移動をハの字状の２枚の側板で押さえ込む作用があるため、特許文献５のような書類移動規制板のような物はクリップに必要としない。また、従来クリップが持つ基本的問題である相反する書類銜え代と書類押さえ力との相反する問題は、本発明では全く存在しない。それは、従来のクリップがどういう方式かにかかわらず、実際の書類押さえ部は、壁板から書類押さえ代（銜え代）を有して支点から離れた先端にあるからである。反して本発明では２枚の側板にしっかり支えられた天板端部に直接、ヒンジで挟持片が接続しているため実質的には腕距離はゼロであり、押圧強度も無駄なく自由に調整でき、かつ銜え代は、銜え幅に代わり、斜めに押圧することで容易に銜え幅も得ることが出来るというすばらしい効果を発揮する。
【発明を実施するための最良の形態】
【００１０】
第一の実施形態は射出成形されたプラスチック製コーナークリップＣ１である。図１にその斜視図を示す。底板１と天板２は２枚の側板７（左右にあるが、左側板は図では見えない）によりロの字状に繋がっている。天板２の端辺（図では見えない）と断面がＬ字状の挟持板５がＬ字角部外側でヒンジ状に結合している。挟持板５は指で上下させる長脚部３と書類を押さえる力を発揮する短脚部４とから成る。
【００１１】
図２は、図１で、底板１の上に書類Ｐのコーナーを載せた状態の斜視図である
【００１２】
図３は、図２において、書類Ｐのコーナー部を底板１と挟持板５の短脚部４との隙間から、書類Ｐコーナーのタテ辺とヨコ辺が左右の側板７にぶつかるまで差し込んだ状態の斜視図を示している。書類Ｐのコーナー先端がクリップ後端から突き出ているのが分かる。
【００１３】
図４は、図３に於いて、挟持板５の上に持ち上がっている長脚部３を矢印方向に指で押し下げ、短脚４が書類を押さえ込んでいる状態を示す斜視図である。
【００１４】
図５は、図３の左上方からの斜視図を示す。書類Ｐコーナーが２枚の左右側板７に書両コーナー辺が接するまで後ろ開口部９から突き抜けて出ていることを示す。同時に、天板２は左右の側板にしっかり支えられており、従来クリップのようには天板は撓む事は少ないことが分かる。また、クリップからの書類コーナー先端の飛び出しがいやなら、コーナー先端部も覆ってしまうことは何ら問題ないことも分かる。
【００１５】
図６は、図４の左上方からの斜視図を示す。挟持板５の長脚部３が前に倒され、短脚部４が書類Ｐを押さえつけている。本発明コーナークリップＣ１が書類コーナーを斜めに押圧している事が斜視図により示されている。
【００１６】
図７は、図３に於けるＸ−Ｘ断面図を示す。書類Ｐは底板１に載り、後開口部９から、書類コーナーが突き出ている。断面がＬ字状の挟持板５は上がったままである。コーナークリップＣ１に書類コーナーを差し込んだ状態である。書類を差し込むのにも、ダブルクリップのような強烈な力は不要である事が分かるであろう。尚、天板２の底板１と側板７で繋がっていないヒンジ６までの距離Ｌ３が挟持片５を回旋させるときの撓み可能部となり、ここで挟持力調整箇所のひとつとなる。
【００１７】
図８は、図４に於けるＹ−Ｙ断面図を示す。書類Ｐは挟持板５の長脚部３が下ろされ、短脚部４が書類Ｐを押圧していることを示す。挟持板５は断面がＬ字を保ったまま、ヒンジ部６を中心に回転することが、図７、図８で分かる。
【００１８】
以上で、樹脂製のコーナークリップＣ１が、進入してきた書類Ｐのコーナーを、断面がＬ字状の挟持板５の上げ下げで、斜めに押圧することが理解できたであろう。尚、書類ＰのクリップＣ１から飛び出した部分をクリップＣ１を大きくして包み込んでしまうことも勿論可能である。但し、クリップＣ１が、不要に大きくなったり、コストアップしたり、書類Ｐコーナー先端部が揃っているかどうか見にくいなどの欠点を無視すれば、技術的には何ら問題ないことは明らかである。  
【００１９】
更に、図７、図８に於いて、側板７の右端である前開口８から挟持片５のヒンジ部６までの撓み可能可能距離が、従来の一辺のみのクリップに比べ、殆どゼロ距離に等しく短かくて済むため、天板２や、側板７などの樹脂厚みは最低厚みで済むなどのメリットがある。
【００２０】
第二の実施形態は、板バネ製コーナークリップＣ２である。図９は板バネを打ち抜いた平面図である。点線は折り曲げ加工位置を示す。ヒンジは第一の実施形態であるプラスチック成形の如く樹脂厚を薄くすることでは得られないので、ヒンジ部１６はヒンジ直線上に細長い貫通孔１６Ｃを設けることでヒンジ機能を持たせている。断面がＬ字状となる挟持部１５の短脚部１４は１４ａ、１４ｂの折り曲げで構成される。底板１１の形状は第一の実施形態同様任意である。この平面図から分かる通り、板バネ製コーナークリップＣ２は、１枚の板バネを折り曲げただけで一筆書きの要領で出来ればよく、必ずしも打ち抜き形態は実施形態同様でなくてもよい。
【００２１】
図１０は図９のシート状板バネを折り曲げ加工し、完成した板バネ製コーナークリップＣ２で書類Ｐのコーナーを押圧係止した斜視図である。断面がＬ字状の挟持部１５は長脚部１３と１４ａ／１４ｂを面々で折り曲げた短脚部１４から成り、底板１１と天板１２とは２１／２２の凹凸で嵌合している。
【００２２】
図１１は、第一の実施形態図８と同じで、図４のＹ−Ｙ断面図と同様に図１０の断面を示したものである。挟持部１５が短脚部１４を含め、一体で出来る様が理解出来よう。
【００２３】
以上の如く、書類のコーナーを多数枚でもクリップしたいという多くの人の願いを達成可能としただけでなく、一辺のみをクリップする方式が持っていた本質的欠点をタテ、ヨコ２辺を側板で押さえながら書類を斜めに押圧することで解決することが出来た優れた発明である。参考までに、図１２は、板バネ製のダブルクリップ本体Ａ、樹脂製クリップＢの断面を中心線のみで簡易表示し、支点（壁板）から作用点（押さえ部）までの距離Ｌ１、Ｌ２が、本発明図７で示されるＬ３に比し長くなり、挟持力を持たせるには本発明が優れている事を示す。
【図面の簡単な説明】
【００２４】
【図１】第一実施形態射出成形後斜視図
【図２】第一実施形態の書類Ｐコーナー挿入開始直前斜視図
【図３】第一実施形態の書類Ｐコーナー挿入後斜視図
【図４】第一実施形態の書類Ｐコーナー押圧状態斜視図
【図５】図３の左上からの斜視図
【図６】図４の左上からの斜視図
【図７】図３のＸ−Ｘ断面図
【図８】図４のＹ−Ｙ断面図
【図９】第二実施形態の打ち抜き平面図
【図１０】第二実施形態の４図相当図
【図１１】第二実施形態の８図相当図
【図１２】従来クリップ断面
【符号の説明】
【００２５】
Ｃ１            第一実施形態コーナークリップ
Ｐ              書類
１              第一実施形態底板
２              第一実施形態天板
３              第一実施形態挟持部長脚
４              第一実施形態挟持部短脚
５              第一実施形態挟持部
６              第一実施形態ヒンジ部
７              第一実施形態側板
８              第一実施形態前開口
９              第一実施形態後開口
Ｃ２            第二実施形態コーナークリップ
１１              第二実施形態底板
１２              第二実施形態天板
１３              第二実施形態挟持部長脚
１４              第二実施形態挟持部短脚
１５              第二実施形態挟持部
１６              第二実施形態ヒンジ部
１６ａ，ｂ        第二実施形態ヒンジ部折り曲げ部
１６ｃ            第二実施形態ヒンジ部貫通長孔
【図１】
2015030267.tif 000003
【図２】
2015030267.tif 000004
【図３】
2015030267.tif 000005
【図４】
2015030267.tif 000006
【図５】
2015030267.tif 000007
【図６】
2015030267.tif 000008
【図７】
2015030267.tif 000009
【図８】
2015030267.tif 000010
【図９】
2015030267.tif 000011
【図１０】
2015030267.tif 000012
【図１１】
2015030267.tif 000013
【図１２】
2015030267.tif 000014